(57)【要約】      （修正有）【課題】薄鋼板を用いて、躯体から規定のはね出し長さを迅速かつ正確に施工可能とするコン止め鋼板を提供する。【解決手段】コン止め鋼板１をコン止め鋼板頭部曲げ加工２と爪型ハゼ３で構成して、コン止め鋼板１を躯体鉄骨６に接着剤５で固定する。爪型ハゼ３をコン止め鋼板１の底面に設ける事により、コン止め鋼板１を跳ねだしの有無にかかわらず正確かつ迅速に構造躯体６に取り付けることが出来る。【選択図】図２
2012007453.tif 000002
【特許請求の範囲】
【請求項１】
本発明の接着型コン止め工法は従来のコン止め工法がコン止め鋼板を構造躯体に熔接止めしていた工法を接着剤で止める工法とした。接着には速乾性の接着剤または両面接着テープをそれぞれ独立に用いた接着コン止め工法とそれらを併用した接着コン止め工法。
【請求項２】
コン止め鋼板を構造躯体梁にセットする際、従来は梁フランジ上面にゲージ・ラインを引いていたが本工法ではコン止め鋼板底面にハゼを設ける工夫により構造躯体梁にゲージ・ラインを引くことなく容易に所定のはね出し長さをセットすることを可能としたハゼ止め接着型工法である。  ハゼ形状はコン止めのはね出し長さにより爪型コン止め鋼板とコの字型コン止め鋼板とした。  ハゼ切込みは工場で設け、現場でこの切り込まれたハゼを立ち起こす事によりコン止め鋼板の積み重ね時の搬入に支障を来たさない事を特徴としたハゼ付きコン止め薄鋼板。
【請求項３】
ハゼをコの字型に折り曲げたコン止め鋼板はゲージ・ラインを設けることなく接着剤が固化するまでの間、はね出し部に下向き作用する力に対して安定して１次的に固定する事を特徴とした詳細のハゼ付きコン止め薄鋼板。
【請求項４】
コン止め鋼板が打設時の生コンクリートの静水圧とはね出し部の重さに耐えるよう薄鋼板の曲げ剛性を高めるためコン止め鋼板頭部に内側もしくは外側に直角に折り曲げ加工部を設けたことを特徴とする詳細のコン止め鋼板。
【発明の詳細な説明】
【技術分野】
【０００１】  コン止め工法はスラブとなる生コンクリートを打設する際、スラブ端部は生コンクリート流出を塞き止める何がしかの型枠としてコン止め鋼板が必要となり、このコン止め鋼板を構造躯体鉄骨梁に取り付けるには通常は熔接止めとしている。熔接止めは熔接電源の持込、熔接コードの扱い、雨中での作業では作業員の感電の恐れが危惧され、また火災の心配もありこれらの作業管理が問われる事になっていたのが従来のコン止め工法の技術分野である。
【背景技術】
【０００２】  既往のコン止め工法ではスラブに打設する生コンクリートがスラブ端部から生コンクリート流出を塞き止める外部からの仮受け小梁で支える型枠を必要としていた。  コンクリート硬化後はこれら仮受け小梁及びコンパネ型枠等の取り外し作業が伴い、またそれらを使い捨てていて無駄が多かった。  外部からの仮受け小梁を設ける工法では、狭隙での施工が出来ないことまた外部からの作業のため危険を伴った。  内部作業の場合、一番の問題はコン止め鋼板を構造躯体にセットする際、はね出しの有無に係わらず正確、迅速にするため従来は躯体梁にゲージ・ラインを設けていたが、その墨出しも手間の掛かる作業であった。  コン止め鋼板の熔接止めも雨中では作業員の感電の恐れまた熔接火器による火災の心配が有り、これらを改善する事は今まで見捨てられていたのが従来の背景技術である。
【発明の概要】
【発明が解決しようとする課題】
【０００３】  既往のコン止め工法では生コンクリート打設後の型枠取り外し手間また片付け手間、償却と無駄が多く外部作業の危険、雨中での溶接作業に伴う作業員の感電また溶接火器による火災などがあり、これらを緩和・軽減するための工法を考えることが大きな一つの課題となる。【０００４】  従来のコン止め工法ではスラブ端部に設ける生コンクリート流出を塞き止める型枠工法は外部からの仮受け小梁および型枠を設ける施工は作業上危険を伴うのみならず、狭隙での施工が出来ない場合もあり、こうした点を改良することも一つの課題となる。【０００５】  コン止め鋼板を鉄骨躯体から規定のはね出し長さを迅速かつ正確に施工可能とするために従来のゲージ・ラインに代わるハゼの工夫によりコン止めはね出し長さに係わらず、はね出し長さの正確な確保また容易にセットならしむる事が課題となる。  またコン止め鋼板を構造躯体に接着固定するコン止め鋼板には生コンクリートの打設時の静水圧と生コンクリートの重量が作用し、この力が構造躯体フランジを支点とした引き抜き力に対して接着剤で固定可能かの点をどのように克服する事も一つの課題となる。
【課題を解決するための手段】
【０００６】  従来の使い捨て生コン止め型枠工法がコンクリート硬化後の仮受け小梁また型枠撤去が伴う無駄が多く、また足場を組んだ仮受け小梁を設ける危険を伴う作業となっていたが、内側だけの作業だけで済ます接着型コン止め工法の提案がこれらの課題を解決するための手段となる。【０００７】  コン止め鋼板を構造躯体に接着固定するコン止め鋼板には生コンクリートの打設時の静水圧と生コンクリートの重量が作用し、この力による構造躯体フランジを支点とした引き抜き力に対して溶接に代わる接着力の強い速乾性接着剤の適用が手段となる。【０００８】  従来のコン止め工法ではコン止め鋼板を構造躯体梁に溶接止めしていたが、火器を伴なう手段では火災また雨中での作業員の感電の恐れの心配があり、これらの作業管理が問われる事になる。  これらの心配を払拭する火器を伴なわない接着剤の適用が手段となる。【０００９】  コン止め鋼板をはね出しの有無に係わらずに正確かつ迅速に構造躯体に取り付ける事は床スラブ施工の端部に於ける課題である。本工法では従来の構造躯体に引くゲージ・ラインに代わりコン止め鋼板底面にハゼを設ける事を手段としている。
【発明の効果】
【００１０】  本コン止め工法の採用により、従来の外側施工と違い内側施工では作業に伴う危険も無くなり、仮受け型枠の必要も無くなりコスト・ダウンに繋がり、溶接に代わる接着剤の適用が雨中での熔接作業の感電また火災の恐れが無くなり、またハゼの工夫により容易かつ正確にゲージ・ラインが出せ、従来の工法に比し作業効率も上がり安定した工法となっている点が発明の効果と思われる。
【発明を実施するための形態】
【００１１】  スラブ端部の生コンクリート流出を塞き止める接着型コン止め工法では二つの形態を考えた。一つの形態は爪型ハゼ付き接着型コン止め工法と他の一つの形態はコの字型ハゼ付き接着型コン止め工法である。「図１」、「図２」は爪型ハゼ付き接着型コン止め、「図３」はコの字型ハゼ付き接着型コン止めの姿図詳細で、「図４」は爪型ハゼ、「図５」はコの字型ハゼの平面、立面取り合い詳細図である。  これらについて以下に詳述する。
【００１２】  一つは「図１」に示すスラブ端部が躯体鉄骨フランジ縁までのはね出さないタイプである。  この場合は「図４」に示すようにハゼ形状は爪型とし、位置はコン止め鋼板立ち上がり付け根とする。コン止め薄鋼板に懸かる力は打設時の生コンクリートの静水圧のみでこの力は打設コンクリートの深さ、すなわちスラブ厚さに比例する。  この力に対してはコン止めの鋼板厚さの曲げ剛性で充分取りきれるが、不測の打設時流動力を考え、「図１」の図面符号２のようにコン止め薄鋼板頭部に１０−２０ｍｍの折り曲げ部を加工した。
【００１３】  一つは「図２」、「図３」に示すスラブ端部が躯体鉄骨フランジ縁から１００−３００ｍｍ程度はね出すタイプである。  この場合は打設時の生コンクリート静水圧の他に、はねだし部分の生コンクリート重量が下向きに作用する事と、セット時のコン止め薄鋼板重量が重いため、接着剤が固化するまでの間、一時的に安定させるために「図５」に示すようにハゼ形状をコの字型とした。
【００１４】  上記二つの本コン止め工法には「図４」と「図５」に示す二つのハゼ形状、一つは爪型ハゼと一つはコの字型ハゼを基本的なハゼ形状とした。
【実施例１】
【００１５】  打設スラブ端部が鉄骨梁フランジ外端部までのいわゆるスラブのはね出しの無い場合は「図１」に示すような詳細とした。  「図４」に爪型ハゼの詳細を示す。爪型ハゼは工場で爪形状の切込みを入れ、現場で爪型ハゼの付け根を折り曲げ立ち上げセットする。コン止め薄鋼板の頭部は外側もしくは内側に２０ｍｍ程度直角に曲げ加工し薄鋼板の曲げ剛性を高め生コンクリートの静水圧による横力に耐えられるようにした。
【実施例２】
【００１６】  打設スラブ端部が鉄骨梁フランジ外端部から１００−３００ｍｍはね出す場合は「図２」、「図３」に示すような詳細とした。  「図４」に爪型ハゼの詳細を、「図５」にコの字型ハゼの詳細を示す。コの字型ハゼは工場でコの字形状の切込みを入れ、現場でコの字型ハゼの付け根を折り曲げ立ち上げセットする。薄鋼板の頭部は外側もしくは内側に２０ｍｍ程度直角に曲げ加工し、薄鋼板の曲げ剛性を高め生コンクリートの静水圧もしくは生コンクリートの重量による力に耐えられるようにした。
【図面の簡単な説明】
【００１７】
【図１】  はね出しが無い場合、爪型ハゼ付き接着コン止め工法の基本取り合い詳細図
【図２】  はね出しが１００−３００ｍｍ程度の場合の爪型ハゼ付き接着コン止め工法の基本取り合い詳細図
【図３】  はね出しが１００−３００ｍｍ程度の場合のコの字型ハゼ付き接着コン止め工法の基本取り合い詳細図
【図４】  爪型ハゼ付き接着コン止め薄鋼板詳細図
【図５】  コの字型ハゼ付き接着コン止め薄鋼板詳細図
【符号の説明】
【００１８】１    ・・・コン止め薄鋼板
２    ・・・コン止め鋼板頭部曲げ加工
３    ・・・爪型ハゼ
４    ・・・コの字型ハゼ
５    ・・・接着剤
６    ・・・躯体鉄骨
７    ・・・打設生コンクリート面
８    ・・・フラット・デッキ
【図１】
2012007453.tif 000003
【図２】
2012007453.tif 000004
【図３】
2012007453.tif 000005
【図４】
2012007453.tif 000006
【図５】
2012007453.tif 000007